(57)【特許請求の範囲】
【請求項１】
本体との間で耳朶を挟むようにスライド可能に設けられたスライド部を有し、主ばねによりスライド方向と平行な射出方向へ付勢されている射出軸を掛け止めておき、耳朶へ穿孔するときに上記掛け止めを外す構成を備えた器具であって、射出軸を掛け止めておく掛止部材を上記スライド方向と交叉する方向へ移動可能に設け、掛止部材を支えて射出軸を掛け止める位置におく台部をスライド部に設け、スライド部のスライドにより台部が掛止部材から外れたのち、掛止部材を強制的に移動させて掛止を外すカムをスライド部と掛止部材に設けたことを特徴とするピアス穿孔器。
【請求項２】
射出軸の射出のための主ばねを本体組み立て後に射出軸に対して後方から組み込み、ばね押さえにより主ばねの抜け止めを施すと同時に、ばね押さえが左右２部分から成る本体の結合手段となるように構成されている請求項１記載のピアス穿孔器。
【発明の詳細な説明】
【０００１】
【発明の属する技術分野】
本発明は、本体との間で耳朶を挟むようにスライド可能に設けられたスライド部を有し、主ばねによりスライド方向と平行な射出方向へ付勢されている射出軸を掛け止めておき、耳朶へ穿孔するときに上記掛け止めを外す構成を備えたピアス穿孔器に関するものである。
【０００２】
【従来の技術】
ピアス穿孔器には様々な種類のものがあるが、特開平４−５４９０４号の明細書及び図面に開示された形式のものは、耳朶の目標位置に狙いを定めてピアス針を打ち出すことができるので、それまで行われていたものよりも早くかつ正確に作業できるという利点がある。このため、その後に提案された特開平１１−１６４７１３号や同９−１９３１３号に記載されているものも、特開平４−５４９０４号の発明における係止部材によってピアス針の射出軸を掛け止めておく構成を踏襲している。
【０００３】
上記発明では、係止部材を射出軸の掛け止めをする態勢に置くために、ばねによって常時付勢している必要がある。同発明における符号４４、後の２点の発明における符号３４や３６で示されたばねがそれに該当する。このため従来の形式では射出用とスライド部材用のほかにもう１点第３のばねが必要であり、これを省略することができない。そのため簡略化に限界があり、コストにも反映せざるを得ない。
【０００４】
一方、ピアス穿孔器でも使い捨て式のものが衛生的に優れているため普及しているが、価格上の要求から手指の操作でピアス針を耳朶に刺し通す簡便な構成を採用している。このため耳朶に指し通すのに１０分の１秒前後の時間が必要であり、しかも熟練の差によってばらつきが大きい。日本国内では医師にのみ他人へのピアス穿孔が許されているにすぎないが、外国では多くの場合誰でも行えるので、失敗の事例も多く報告されている。
【０００５】
【発明が解決しようとする課題】
本発明は前記の点に着目してなされたもので、その課題は、先願発明において必要不可欠であった第３のばねの省略を可能にし、構成の簡略化を実現することである。また本発明の他の課題は、使い捨て式ピアス穿孔器においても、使い捨て式でないものと同等の正確性及び迅速性をもって安全にピアス穿孔を行えるようにすることである。
【０００６】
【課題を解決するための手段】
前記課題を解決するため本発明は、射出軸を掛け止めておく掛止部材を上記スライド方向と交叉する方向へ移動可能に設け、掛止部材を支えて射出軸を掛け止める位置におく台部をスライド部に設け、スライド部のスライドにより台部が掛止部材から外れたのち、掛止部材を強制的に移動させて掛止を外すカムをスライド部と掛止部材に設けるという手段を講じたものである。
【０００７】
【発明の実施の形態】
本発明に係るピアス穿孔器は、本体との間で耳朶を挟むようにスライド可能に設けられたスライド部を有している。このスライド部はピアス穿孔器の本体に設けられており、本体から離れる方向へばね付勢されていることが望ましい。穿孔終了後に耳朶から器具を外すには、ばね力で自動的にスライド部が離れた方が作業性が良いからである。
【０００８】
本体には、上記スライド方向と平行な方向へ移動可能に射出軸が設けられており、かつ射出軸は射出方向へ付勢されている。この付勢には使い捨て式でないものと同様に十分強力な主ばねを使用することが望ましい。射出軸はばね付勢された状態で掛止部材により掛け止めておかれ、耳朶への穿孔時に掛け止めが外されて射出状態となり、ピアス針を打ち出し可能となる。
【０００９】
このような器具において本発明では、射出軸を掛け止めておく掛止部材を、スライド軸のスライド方向と交叉する方向へ移動可能に設ける。射出軸を掛け止めている態勢にある掛止部材を移動させて射出軸を射出可能とするためであるが、掛止部材が移動可能に設けられているからといっても、掛止部材には射出軸からばね付勢力が作用しているので、外部から操作しなければ、掛止部材を移動させ射出軸を射出させることは確実にはできない。その反面、射出軸からのばね付勢力だけでは、掛け止め部材を射出軸を掛け止める位置においたと言うには不充分である。
【００１０】
そこで本発明では、掛止部材を支えて射出軸を掛け止める位置におく台部をスライド部に設ける。台部は、従って掛止部材を射出軸との掛け止め位置におく手段であるので、換言すれば先願発明等において必須不可欠であった第３のばねに代わるものである。従って本発明によれば第３のばねが不要化されるので金属部品の削減、組み当ての容易化のほか、伸縮部材がなくなることによる作動の確実性の向上が期待される。
【００１１】
このような本発明では、スライド部のスライドにより台部が掛止部材から外れたのち、掛け止め部材がカムによって強制的に移動させられ、掛け止めを外して射出軸の射出動作が行われることになる。カムはスライド部と掛け止め部との間に設けられる。
【００１２】
なお、この種の穿孔器の組立てでは射出軸の射出を司るばねの組み込みが問題となる。強力なばねを、他の部材とともに本体内に収めることが容易でないためであるが、本発明ではこの主ばねを本体組み当て後に射出軸に対して後方から組み込み、ばね押さえにより主ばねの抜け止めを施すと同時に、ばね押さえが左右２部分に分かれた本体の結合手段となるように構成することもできる。
【００１３】
【実施例】
以下図面を参照して本発明をより詳細に説明する。図１は本発明に係るピアス穿孔器１０を使い捨て式に構成した実施例を示している。ピアス穿孔器１０には１個のピアス針１１と１個のキャッチャ１２とがセットされており、１回の使用ののち廃棄する。
【００１４】
このピアス穿孔器１０は本体１３とスライド部１４とを有しており、本体１３は左右２部分１５、１６に分かれている。本体内上部の後側には射出軸１７の収容室１８が後端を開口した形態に形成されており、射出軸１７は後述の掛止部材２０に当たって止まる突部１７ａを有する。収容室１８の前壁１８ａより前側はピアス針１１を保持した分離可能なカートリッジの配置部となる。一方、スライド部１４は本体内下部の前側に形成されたスライド室１９に収まる。スライド部１４はスライド室１９に収まる軸部２１とその外部先端から立ち上がって本体前部との間で耳朶を挟むようにする耳当て部２２とを有し、耳当て部２２には前記キャッチャ１２の配置部が設けられる。
【００１５】
上記射出軸１７とスライド部１４との間には掛止部材２０が設けられる。同部材２０は射出軸１７を下から囲むように、上方が開放された掛止部２４を上部に有し、かつまたスライド軸部２１と係り合う部分を下部に有する。掛止部材２０をスライド部１４の移動方向と交叉する方向へ移動可能とするために、掛止部材２０の左右両側を受け入れるガイド部２３が本体内面に形成されている。
【００１６】
射出軸１７を掛け止めておくために、掛止部材２０はスライド軸部２１の内方端近くに設けた台部２６に支えられた状態におかれる。この状態は、スライド部１４が最も前進した状態であり、後端を本体側のばね受けに支持させた押しばね２７によって前方へ押される、スライド部１４の突起２８が本体内の停止部２９に当たることによって位置付けられる。図３参照。
【００１７】
掛止部材２０は前記の掛止部２４の下部に、カム３０を構成するカム突部２５を設けた枠形を有する。図４参照。例示の場合掛止部材２０の下部に窓開口３１をあけその下枠上面にカム突部２５を設けており、開口３１には相手カムであるカム斜面３２の頂部３３がカム突部２５に達するまでスライド部１４の突起２８の進入が可能である。
【００１８】
このように構成されているピアス穿孔器１０は、内部に射出軸１７、スライド部１４及びその押しばね２７、そして掛止部材２０を夫々所定の位置関係に組み込み、左右に分かれている２部分１５、１６を凹凸嵌合から成る結合手段３４によって一体に組み合わされる。さらに本体１３の分離防止のため、左右２部分１５、１６に結合子３５を取り付ける。結合子３５は左右両部分１５、１６を左右外方から押さえるために略Ｕ字形に形成されており、先端部に設けられた爪３６によって、本体側に設けられているスライド溝３７の嵌合部３８に嵌まり込み、固定状態となる。
【００１９】
さらに本発明ではこの結合子３５を利用して、射出軸１７を射出させる主ばね４０の取り付けを行っている。３９はばね受けであり、主ばね４０の後端を支持する。主ばね４０は後端の開口から収容室に挿入され、その先端は射出軸１７の突部１７ａで支持される。このような構成を有するため本発明では強力な主ばね４０を組み当ての最後に装着することができることとなり、組み立てが容易化され、部品の誤装着も防止される。
【００２０】
これまでの説明では、キャッチャ１２を使用するピアス針１１を射出する穿孔器１０に付いて記述して来たが、キャッチ不要のピアス針４１を射出する穿孔器１０′についても本発明を適用できることは当然であるので、その例を実施例２として図５に説明する。
【００２１】
実施例２として実施例１と異なるところは、ピアス針４１の僅かに膨らんだ尖端４２を受け入れる小孔４３が耳受け部２２の上部に設けられている点のみである。実施例１ではキャッチャ１２を前方へ抜け出し可能にセットする構成を持つ部分が、耳朶に接する凸面４４となり、その中央に小孔４３が開けられている。他の構成は実施例１の場合と全く同様で良いので符号を援用し、詳細な説明を省略する。
【００２２】
実施例１に示したピアス穿孔器１０について作動を説明すると、初めにピアス針１１をセットした本体１３とキャッチャ１２をセットした耳当て部２２との間に耳朶Ｙが来るようにピアス穿孔器１０を誘導する（図６（ａ））。この状態でスライド部１４を本体１３に押しばね２７に抗して押し込み（図６（ｂ））、ピアス穿孔の目標位置に向かってピアス針１１の先端を当てる。なおこの作業は例えば親指と人差し指とで器具両端を加圧する操作で行われる。図６（ａ）、（ｂ）までの段階ではスライド部１４の台部２６から掛止部材２０が外れるものの、掛止部材２０は射出軸１７から主ばね４０の加圧力を受けているので下方へ移動するおそれはなく、やり直しも可能である。
【００２３】
スライド部１４と本体１３とをさらに接近させると、カム３０の斜面３２がカム突部２５に接し、掛止部材２０を強制的に押し下げる作用が加わるので（図６（ｃ））、掛止部材２０は下方へ移動し、係止部２４が射出軸１７の突部１７ａから外れ、射出軸１７は主ばね４０の弾圧力によって急速に射出され、耳朶Ｙを瞬間的に打ち抜く（図７（ａ））。射出速度は１／１００秒程度となり、従来の使い捨て式よりも著しく高速となるので、痛みも軽減される。この時点でピアス穿孔は既に終了しており、ピアス針１１の先端にはキャッチャ１２が嵌合している。それまでスライド部１４側に付いていたキャッチャ１２は、ピアス針１１の嵌合により、スライド部１４から外れる。同時にピアス針１１の移動によりカートリッジが分離し（図７（ｂ））、キャッチャ１２はスライド部の復帰により耳当て部２２から前方へ抜けることとなる（図７（ｃ））。かくしてピアス穿孔に関係した全ての作業が完了するが、再度別のピアス針をセットしようとしても掛け止め部材をセットし直すことができないので再使用できず、安全性が損なわれない。
【００２４】
【発明の効果】
本発明は以上の如く構成されかつ作用するものであるから、先願発明において不可欠とされていた第３のばねが不要となったので構造及び組み立てが容易となり、構成の簡略化によるコストの低減が可能となる。第３のばねがある従来の例では射出軸を掛け直して再度使用できる可能性も高いが、本発明では第３のばねがないため再度の掛け直しができず安全性が高い。また主ばねによる強力な射出作用のために使い捨て式でも使い捨て式でないものと同等の正確性及び迅速性をもって安全にピアス穿孔を行うことができる。さらに主ばねを最後に取り付けることによって、ピアス穿孔器の組み立てが容易化され、しかもばね力の選択も容易で適正な射出力を得易い。
【図面の簡単な説明】
【図１】本発明に係るピアス穿孔器の実施例１を示す分解斜視図。
【図２】同じく組み立てられた状態を示す斜視図。
【図３】同じく縦断面図。
【図４】掛止部材の３面図。
【図５】（ａ）本発明の実施例２における待機状態を示す縦断面図。
（ｂ）同じく射出後を示す縦断面図。
【図６】（ａ）実施例１のものを耳朶に誘導した状態の説明図。
（ｂ）掛止部材が台部から外れた状態の説明図。
（ｃ）カムにより射出軸の掛け止めが外れた状態の説明図。
【図７】（ａ）射出軸によりピアス針が耳朶を刺通した状態の説明図。
（ｂ）カートリッジが分離した状態の説明図。
（ｃ）ピアス穿孔完了状態の説明図。
【図１】
0003600140.tif 000002
【図２】
0003600140.tif 000003
【図３】
0003600140.tif 000004
【図４】
0003600140.tif 000005
【図５】
0003600140.tif 000006
【図６】
0003600140.tif 000007
【図７】
0003600140.tif 000008